(57)【要約】複数のメンテナンス項目を並行して実行することにより、自動分析装置におけるメンテナンス時間を短縮する。自動分析システム１０は、自動分析装置１１および端末装置３８を備える。自動分析装置１１は、検体を測定する。端末装置３８は、表示部３２、操作部３２、およびコンピュータ３０に設けられる制御部を有する。表示部３２は、自動分析装置１１をメンテナンスするメンテナンス項目を表示する。操作部３１は、表示部３２に表示されるメンテナンス項目を選択する。制御部は、操作部３１によって選択されるすべてのメンテナンス項目を並行して実行するように自動分析装置１１を制御する。
2019189869.tif 000002
【特許請求の範囲】
【請求項１】
検体を測定する自動分析装置と、
前記自動分析装置と接続される端末装置と、
を備え、
前記端末装置は、
前記自動分析装置のメンテナンス項目を表示する表示部と、
前記表示部に表示される前記メンテナンス項目を選択する操作部と、
前記操作部によって選択されるすべての前記メンテナンス項目を並行して実行するように前記自動分析装置を制御する制御部と、
を有する、自動分析システム。
【請求項２】
請求項１記載の自動分析装置において、
前記制御部は、予め設定されるメンテナンス処理テーブルに基づいて、前記操作部により選択されたメンテナンス項目と並行して実施することのできるメンテナンス項目を抽出して、抽出したメンテナンス項目を前記表示部に表示させる、自動分析システム。
【請求項３】
請求項２記載の自動分析システムにおいて、
前記メンテナンス処理テーブルは、メンテナンス項目および前記メンテナンス項目に対応する並行処理メンテナンス項目からなり、
前記並行処理メンテナンス項目は、前記操作部によって選択された前記メンテナンス項目と並行して実行することのできるメンテナンス項目を示したものであり、
前記制御部は、前記操作部からメンテナンス項目が選択された際に前記メンテナンス処理テーブルから前記メンテナンス項目に対応する前記並行処理メンテナンス項目に示されるメンテナンス項目を抽出して、抽出した前記メンテナンス項目を並列に実行することのできるメンテナンス項目として前記表示部に表示させる、自動分析システム。
【請求項４】
請求項２記載の自動分析システムにおいて、
前記メンテナンス処理テーブルは、前記メンテナンス項目毎に前記自動分析装置における各機構の干渉がないメンテナンス項目を抽出したリストであり、
前記制御部は、前記操作部からメンテナンス項目が選択された際に選択された前記メンテナンス項目を実行する際に用いられる前記自動分析装置の前記機構が干渉しないメンテナンス項目を前記メンテナンス処理テーブルから抽出して、抽出した前記メンテナンス項目を並列に実行することのできるメンテナンス項目として前記表示部に表示させる、自動分析システム。
【請求項５】
請求項４記載の自動分析システムにおいて、
前記メンテナンス処理テーブルは、前記メンテナンス項目の１つである流路系洗浄に用いられる前記機構と干渉しないメンテナンス項目として、試薬ピペッタ洗浄、ビーズミキサー洗浄、ピペッタエアパージ、およびベッセル廃棄がリスト化されており、
前記制御部は、前記操作部から前記流路系洗浄のメンテナンス項目が選択された際に前記メンテナンス処理テーブルから抽出した前記試薬ピペッタ洗浄、前記ビーズミキサー洗浄、前記ピペッタエアパージ、および前記ベッセル廃棄を並列して実行することのできるメンテナンス項目として前記表示部に表示させる、自動分析システム。
【請求項６】
請求項４記載の自動分析システムにおいて、
前記メンテナンス処理テーブルは、資源を使用するメンテナンス項目および前記メンテナンス項目における資源の使用量を示すリストであり、
前記制御部は、前記操作部からメンテナンス項目が選択された際に前記メンテナンス処理テーブルから選択された前記メンテナンス項目が消費する資源の値と前記メンテナンス項目と並列して実行するメンテナンス項目が消費する資源の値との合計を算出して、算出した前記合計値が予め設定される資源しきい値を下回るメンテナンス項目を抽出して、抽出した前記メンテナンス項目を並列に実行することのできるメンテナンス項目として前記表示部に表示させる、自動分析システム。
【請求項７】
請求項６記載の自動分析システムにおいて、
前記メンテナンス処理テーブルにおける前記資源は、純水であり、
前記制御部は、前記操作部から選択されたメンテナンス項目において消費する前記純水の消費量と、並列して実行する各々のメンテナンス項目が消費する純水の消費量との合計をそれぞれ算出して、算出した前記合計値が前記自動分析装置が有する貯蔵タンクに貯蔵された純水の量を下回るメンテナンス項目を並列に実行することのできるメンテナンス項目として抽出して前記表示部に表示させる、自動分析システム。
【請求項８】
検体を測定する自動分析装置と、
前記自動分析装置と接続される端末装置と、
を備え、
前記端末装置は、
前記自動分析装置をメンテナンスするメンテナンス項目を表示する表示部と、
前記表示部に表示される前記メンテナンス項目を選択する操作部と、
予め設定されているメンテナンス項目および前記操作部によって選択されるすべての前記メンテナンス項目を並行して実行するように前記自動分析装置を制御する制御部と、
を有する、自動分析システム。
【請求項９】
請求項８記載の自動分析システムにおいて、
前記制御部は、予め設定されるメンテナンス処理テーブルに基づいて、前記操作部により選択されたメンテナンス項目と並行して実施することのできるメンテナンス項目を抽出して、抽出したメンテナンス項目を前記表示部に表示させる、自動分析システム。
【請求項１０】
請求項８記載の自動分析システムにおいて、
予め設定されている前記メンテナンス項目は、前記自動分析装置における測定セル流路の洗浄を行う流路系洗浄である、自動分析システム。
【請求項１１】
請求項９記載の自動分析システムにおいて、
前記メンテナンス処理テーブルは、メンテナンス項目と前記メンテナンス項目に対応する並行処理メンテナンス項目とからなり、
前記並行処理メンテナンス項目は、前記操作部によって選択された前記メンテナンス項目と並行して実行することのできるメンテナンス項目を示したものであり、
前記制御部は、前記操作部からメンテナンス項目が選択された際に、前記メンテナンス処理テーブルから前記メンテナンス項目に対応する前記並行処理メンテナンス項目に示されるメンテナンス項目を抽出して、抽出した前記メンテナンス項目を並列に実行することのできるメンテナンス項目として前記表示部に表示させる、自動分析システム。
【請求項１２】
請求項９記載の自動分析システムにおいて、
前記メンテナンス処理テーブルは、前記メンテナンス項目毎に前記自動分析装置における各機構の干渉がないメンテナンス項目を抽出するリストであり、
前記制御部は、前記操作部からメンテナンス項目が選択された際に、選択された前記メンテナンス項目を実行する際に用いられる前記自動分析装置の前記機構が干渉しないメンテナンス項目を前記メンテナンス処理テーブルから抽出して、抽出した前記メンテナンス項目を並列に実行することのできるメンテナンス項目として前記表示部に表示させる、自動分析システム。
【発明の詳細な説明】
【技術分野】
【０００１】
本発明は、自動分析システムに関し、特に、自動分析装置のメンテナンス時間の短縮に有効な技術に関する。
【背景技術】
【０００２】
自動分析装置は、血液あるいは尿などの検体成分の定性・定量分析を行うものである。この種の自動分析装置においては、該自動分析装置のコンディション維持およびハードウェアの動作確認などを目的として、メンテナンスが実施される。【０００３】
近年、検体成分の分析業務においては、人員削減、検体分析処理量の増加、あるいは緊急を要する検体への即時対応など、ルーチン業務が過密になってきている。よって、自動分析装置のメンテナンススケジュールにおいては、過密になるルーチン業務スケジュールになればなるほど、空き時間に適切なメンテナンスを実施する必要がでてきている。【０００４】
自動分析装置では、限られた時間にて適切なメンテナンスを実行するために、ユーザが実施すべきメンテナンスを複数選択して、それら選択したメンテナンスを連続して実行するようにしている。【０００５】
この種の自動分析装置において、複数のメンテナンスを選択して実行するメンテナンス技術としては、例えばメンテナンスの実行指示が出された時点で実行すべきメンテナンス項目を抽出し、抽出されたメンテナンス項目を予め設定したルールに従って推奨する実行順序に並べ替えるものが知られている（例えば特許文献１参照）。
【先行技術文献】
【特許文献】
【０００６】
【特許文献１】特開２０１５−１０８６４１号公報
【発明の概要】
【発明が解決しようとする課題】
【０００７】
上述した特許文献１には、類似のメンテナンスあるいは同一部位のメンテナンスなどが連続して実行されるなどの予め設定したルールに基づいて、推奨する実行順序に並べ替える旨が記載されている。しかし、特許文献１の技術では、同一の自動分析装置内で複数のメンテナンスを同時に並行して実行することができない。【０００８】
よって、自動分析装置にて同時並行して実行できるメンテナンス項目が複数存在する場合であっても、推奨される実行順序に従いメンテナンスが実行されることになる。このように、複数のメンテナンスがシーケンシャルに処理されるために処理時間が長くなり、メンテナンスの効率性が低下してしまうという問題がある。【０００９】
本発明の目的は、複数のメンテナンス項目を並行して実行することにより、自動分析装置におけるメンテナンス時間を短縮することのできる技術を提供することにある。【００１０】
本発明の前記ならびにその他の目的と新規な特徴については、本明細書の記述および添付図面から明らかになるであろう。
【課題を解決するための手段】
【００１１】
本願において開示される発明のうち、代表的なものの概要を簡単に説明すれば、次のとおりである。【００１２】
すなわち、代表的な自動分析システムは、自動分析装置および該自動分析装置と接続される端末装置を備える。自動分析装置は、検体を測定する。端末装置は、表示部、操作部、および制御部を有する。【００１３】
表示部は、自動分析装置をメンテナンスするメンテナンス項目を表示する。操作部は、表示部に表示されるメンテナンス項目を選択する。制御部は、操作部によって選択されるすべてのメンテナンス項目を並行して実行するように自動分析装置を制御する。【００１４】
特に、制御部は、予め設定されるメンテナンス処理テーブルに基づいて、操作部により選択されたメンテナンス項目と並行して実施することのできるメンテナンス項目を抽出して、抽出したメンテナンス項目を表示部に表示させる。【００１５】
また、メンテナンス処理テーブルは、メンテナンス項目および該メンテナンス項目に対応する並行処理メンテナンス項目からなる。並行処理メンテナンス項目は、操作部によって選択されたメンテナンス項目と並行して実行することのできるメンテナンス項目を示したものである。【００１６】
制御部は、操作部からメンテナンス項目が選択された際にメンテナンス処理テーブルからメンテナンス項目に対応する並行処理メンテナンス項目に示されるメンテナンス項目を抽出して、抽出したメンテナンス項目を並列に実行することのできるメンテナンス項目として表示部に表示させる。
【発明の効果】
【００１７】
本願において開示される発明のうち、代表的なものによって得られる効果を簡単に説明すれば以下のとおりである。【００１８】
（１）自動分析装置のメンテナンス時間を短縮することができる。【００１９】
（２）上記（１）により、自動分析装置の分析効率を向上させることができる。
【図面の簡単な説明】
【００２０】
【図１】一実施の形態による自動分析システムにおける構成の一例を示す説明図である。
【図２】図１の自動分析システムが有するコンピュータにおける構成の一例を示す説明図である。
【図３】図１の自動分析システムによるメンテナンス機能の実行処理の一例を示すフローチャートである。
【図４】図１の自動分析システムが有する表示部に表示されるメンテナンス項目画面の一例を示す説明図である。
【図５】図１のコンピュータが有するメモリ部に格納されるメンテナンス処理テーブルにおける構成の一例を示す説明図である。
【図６】図１の自動分析システムが有する表示部に表示される更新後のメンテナンス項目画面の一例を示す説明図である。
【図７】図６に続くメンテナンス項目画面の一例を示す説明図である。
【発明を実施するための形態】
【００２１】
実施の形態を説明するための全図において、同一の部材には原則として同一の符号を付し、その繰り返しの説明は省略する。
〈自動分析システムの構成例〉
【００２２】
図１は、一実施の形態による自動分析システム１０における構成の一例を示す説明図である。
【００２３】
自動分析システム１０は、図１に示すように、自動分析装置１１、コンピュータ３０、操作部３１、および表示部３２などから構成されている。また、コンピュータ３０、操作部３１、および表示部３２によって端末装置３８が構成されている。
【００２４】
自動分析装置１１は、試料ラック１２、搬送ライン１３、試薬ディスク１４、サンプル分注機構１５、試薬分注機構１６、反応容器１７、保持部１８、インキュベータディスク１９、搬送機構２０，２１、反応容器攪拌機構２２、液吸引ノズル２３、および検出部ユニット２４などからなる。
【００２５】
試料ラック１２は、分析対象である試料が収容された試料容器２５を搭載する。試薬容器２６に収容される試料としては、血液や尿などの生体試料である患者試料などがある。搬送ライン１３は、試料ラック１２を搬送する。
【００２６】
試薬ディスク１４は、試料の分析に用いる試薬を収容した複数の試薬容器２６を設置する。サンプル分注機構１５は、搬送ライン１３により搬送される試料容器２５に収容された試料を反応容器１７に分注する。
【００２７】
試薬分注機構１６は、試薬ディスク１４に設置された試薬容器２６の試薬を吸引して反応容器１７に分注する。保持部１８は、反応容器１７およびサンプル分注チップを収納する。
【００２８】
インキュベータディスク１９は、試薬と検体の分注された反応容器１７とを載せて温度を一定に保って反応させる。このインキュベータディスク１９には、複数の反応容器１７を設置することができる。また、インキュベータディスク１９は、円周方向に設置された反応容器１７をそれぞれ所定位置まで移動させるための回転運動が可能である。
【００２９】
搬送機構２０は、反応容器１７をインキュベータディスク１９や廃棄部２７に搬送し、サンプル分注チップをサンプル分注チップ装着位置２８や廃棄部２７に搬送する。廃棄部２７は、サンプル分注チップおよび反応容器１７を廃棄する。
【００３０】
搬送機構２０は、Ｘ軸方向、Ｙ軸方向、およびＺ軸方向の３方向に移動可能であり、保持部１８、廃棄部２７、サンプル分注チップ装着位置２８、およびインキュベータディスク１９の予め設定される範囲を移動して、サンプル分注チップおよび反応容器１７の搬送を行う。
【００３１】
搬送機構２０は、保持部１８の上方に移動して下降することにより未使用の反応容器１７を把持した後に上昇して、インキュベータディスク１９の上方に移動して下降することにより反応容器１７を設置する。
【００３２】
そして、搬送機構２０は、保持部１８の上方に移動した後、下降して未使用のサンプル分注チップを把持する。その後、上昇してサンプル分注チップ装着位置２８の上方に移動した後下降することによってサンプル分注チップを設置する。
【００３３】
保持部１８には、未使用の反応容器１７およびサンプル分注チップが複数設置されている。予備の保持部である予備保持部２９も同様に未使用の反応容器１７およびサンプル分注チップが複数設置されており、保持部１８の反応容器１７およびサンプル分注チップがなくなり次第、予備保持部２９に設置されている反応容器１７およびサンプル分注チップが使用される。
【００３４】
サンプル分注機構１５は、回動および上下動が可能であり、該サンプル分注機構１５が有するノズルをサンプル分注チップ装着位置２８の上方に回動移動させた後、下降させる。これにより、ノズルの先端部にサンプル分注チップを圧入して装着する。
【００３５】
ここで、サンプル分注チップは、液体のサンプルを吸引して保持する容器であり、ノズルの汚染、いわゆるコンタミネーションを防止するためにノズルの先端部にサンプルが達しないようにサンプルの吸引量を調節する。
【００３６】
サンプル分注チップを装着したノズルは、試料ラック１２に載置された試料容器２５の上方に移動した後、下降させる。そして、試料容器２５に保持されたサンプルを所定量、サンプル分注チップに吸引する。
【００３７】
サンプルを吸引したサンプル分注チップは、サンプル分注機構１５により、インキュベータディスク１９の上方に移動させた後、下降させ、該インキュベータディスク１９に保持された未使用の反応容器１７に試料を吐出する。
【００３８】
試料の吐出が終了すると、サンプル分注機構１５は、ノズルを廃棄部２７の上方に移動して、使用済みの試料分注チップを廃棄部２７から廃棄する。
【００３９】
試薬ディスク１４には、上述したように複数の試薬容器２６が設置されている。試薬ディスク１４の上部には試薬ディスクカバー１４ａが設けられている。この試薬ディスクカバー１４ａの内部は、所定の温度に保温される。
【００４０】
試薬ディスクカバー１４ａの一部には、試薬ディスクカバー開口部が設けられている。試薬分注機構１６は、回転および上下動が可能であり、ノズルを試薬ディスクカバー１４ａの開口部の上方に回転移動した後、下降して、ノズルの先端部を所定の試薬容器２６内の試薬に浸漬し、所定量の試薬を吸引する。
【００４１】
そして、試薬分注機構１６は、ノズルを上昇した後、インキュベータディスク１９の所定位置の上方に回転移動して、反応容器１７に試薬を吐出する。試料および試薬が吐出された反応容器１７は、インキュベータディスク１９の回転によって所定位置に搬送され、搬送機構２０によって反応容器攪拌機構２２に搬送される。
【００４２】
反応容器攪拌機構２２は、反応容器１７に対して回転運動を加えることにより、反応容器１７内の試料と試薬とを攪拌して混和する。攪拌が終了した反応容器１７は、搬送機構２０によってインキュベータディスク１９の所定位置に戻される。
【００４３】
液吸引ノズル２３は、回転および上下動が可能である。サンプルおよび試薬を分注し、攪拌が終了するとインキュベータディスク１９にて所定の反応時間が経過した反応容器１７の上方に液吸引ノズル２３を移動して下降させることにより、反応容器１７内の液を吸引する。
【００４４】
液吸引ノズル２３によって吸引された液は、検出部ユニット２４によって分析される。液が吸引された反応容器１７は、インキュベータディスク１９の回転によって所定位置に移動し、搬送機構２０によってインキュベータディスク１９から廃棄部２７の上方に移動し、該廃棄部２７から廃棄される。
【００４５】
コンピュータ３０は、例えばパーソナルコンピュータなどからなり、自動分析装置１１に接続されている。コンピュータ３０は、自動分析装置１１の各機構を制御するために予め定められたプログラムであるシーケンスプログラムなどに基づいて、自動分析装置１１を制御する。
【００４６】
操作部３１は、例えばマウスやキーボードなどの入力部である。表示部３２は、グラフィックユーザーインターフェース（ＧＵＩ）であり、操作画面や操作部３１から入力される情報などの様々な情報を表示する。
【００４７】
また、コンピュータ３０には、自動分析装置１１をメンテナンスするメンテナンス機能がある。このメンテナンスは、自動分析装置１１のコンディション維持およびハードウェアの動作確認などを目的としている。
【００４８】
メンテナンス機能が有効となると、表示部３２には、メンテナンス項目画面が表示される。このメンテナンス項目画面は、操作部３１が有するマウスなどの指示によって所定の操作を行うことができる操作画面である。
【００４９】
メンテナンスの際、ユーザは、表示部３２に表示されるメンテナンス項目画面の表示内容を見ながら操作部３１を操作することによって、実行するメンテナンス項目の選択などを行う。操作部３１による操作結果は、表示部３２の表示内容に反映される。
〈コンピュータの構成例〉
【００５０】
図２は、図１の自動分析システム１０が有するコンピュータ３０における構成の一例を示す説明図である。
【００５１】
コンピュータ３０は、図２に示すように、判断部３５、表示指示部３６、およびメモリ部３７を有する。判断部３５は、シーケンスプログラムに基づいて、自動分析装置１１の各機構を制御する。
【００５２】
また、判断部３５は、上述した自動分析装置１１をメンテナンスするメンテナンス機能の制御などを行う。判断部３５は、自動分析装置１１のメンテナンスを行う際に、該自動分析装置１１が並行して行うことのできるメンテナンス項目を後述するメンテナンス処理テーブル５０を参照することによって提示する。
【００５３】
ユーザが提示されたメンテナンス項目を選択することにより、判断部３５は、少なくとも２つのメンテナンスを並列して実行させる。これにより、自動分析装置１１のメンテナンス時間を短縮することができる。
【００５４】
表示指示部３６は、表示部３２に表示する各種情報などを表示させる。これら判断部３５および表示指示部３６によって制御部３９が構成される。
【００５５】
メモリ部３７は、ハードディスクドライブやフラッシュメモリなどの不揮発性メモリからなり、上記したシーケンスプログラム、自動分析装置１１による分析項目などの各種情報、およびメンテナンス処理テーブル５０などが格納される。
【００５６】
シーケンスプログラムは、自動分析装置１１の各機構を制御するために予め定められたプログラムである。メンテナンス処理テーブル５０は、表示部３２に表示されるメンテナンス項目画面から選択されたメンテナンス項目毎に、並行して実行可能なメンテナンス項目やメンテナンス項目の優先順などの情報が格納されるテーブルである。
【００５７】
また、メモリ部３７には、メンテナンス機能を実行するプログラムが格納されている。メモリ部３７に格納されているプログラム形式のソフトウェアを判断部３５などが実行することによって実現する。
【００５８】
〈メンテナンス項目の選択および実行例〉
【００５９】
図３は、図１の自動分析システム１０によるメンテナンスの実行処理の一例を示すフローチャートである。
【００６０】
この図３では、コンピュータ３０のメンテナンス機能が有効となってから該メンテナンス機能において設定されたメンテナンス項目が開始されるまでの処理について示されている。
【００６１】
まず、ユーザによるメンテナンス項目の選択処理が行われる（ステップＳ１０１）。ステップＳ１０１の処理において、メンテナンス機能が有効となると、表示部３２に後述する図４に示すメンテナンス項目画面が表示される。
〈メンテナンス項目画面の表示例〉
【００６２】
図４は、図１の自動分析システム１０が有する表示部３２に表示されるメンテナンス項目画面の一例を示す説明図である。
【００６３】
表示部３２に表示されるメンテナンス項目画面は、左側に表示される第１の表示領域４０、該第１の表示領域４０の右側に表示される第２の表示領域４１、および第２の表示領域４１の下方に表示される選択ボタン４２から構成されている。
【００６４】
第１の表示領域４０は、メンテナンスタイプを表示する。第２の表示領域４１は、第１の表示領域４０に表示された選択項目に該当する情報およびスクロールバーがそれぞれ表示されている。選択ボタン４２は、第２の表示領域にて選択した項目を決定するボタンである。
【００６５】
メンテナンスタイプは、実行するメンテナンスのタイプが項目別に表示される。図４の例では、メンテナンスタイプとして、メンテナンスおよびチェックが表示されている。
【００６６】
メンテナンス４３は、自動分析装置１１のメンテナンスを行う際に選択する項目であり、チェック４４は、自動分析装置１１の各機構の動作やコンディションなどを確認する際に選択する項目である。
【００６７】
自動分析装置１１のメンテナンスを行う際、ユーザは、操作部３１などによって第１の表示領域４０に表示されるメンテナンスタイプからメンテナンス４３を選択する。操作部３１によって選択されたメンテナンスタイプの選択項目は、選択されたことが分かるように表示される。この場合、例えば表示色が変わる、背景の色が変化する、あるいはフォントが太くなるなどである。図４では、例えばメンテナンスが選択され、該メンテナンスの表示背景の色が変わっている。
【００６８】
第１の表示領域４０のメンテナンス４３が選択されると、図４に示すように第２の表示領域４１には、自動分析装置１１が実行することのできるすべてのメンテナンス項目が表示される。
【００６９】
メンテナンス４３の項目が選択された際、判断部３５は、メモリ部３７に格納されたメンテナンス処理テーブル５０を参照して、自動分析装置１１が行うことのできるすべてのメンテナンスの項目を取得する。判断部３５が取得したメンテナンス項目は、表示指示部３６に出力される。
【００７０】
表示指示部３６は、判断部３５から受け取ったメンテナンス項目を第２の表示領域４１に表示する。第２の表示領域には、自動分析装置１１のメンテナンス項目が例えば一覧形式によって表示される。
【００７１】
また、メンテナンス項目の左側に表示されるスクロールバーは、メンテナンス項目の表示領域を移動させる。これにより、第２の表示領域４１に収まらないメンテナンス項目を表示させることができる。
【００７２】
図４では、第２の領域４１に自動分析装置１１が実行することのできるすべてのメンテナンスの項目が表示されており、メンテナンス項目として流路系洗浄が選択された例を示している。
【００７３】
ユーザは、操作部３１などによって第２の表示領域４１に表示されるメンテナンス項目からメンテナンスを行う項目を選択する。第２の表示領域４１においても、選択された項目は、例えば表示色が変わる、背景の色が変化する、あるいはフォントが太くなるなど選択されたことがユーザに分かるように変化する。
【００７４】
その後、ユーザは、操作部３１によって選択ボタン４２を選択することにより、第２の表示領域４１にて選択したメンテナンス項目が決定する。メンテナンス項目が決定すると、図３において、メンテナンス項目の追加処理が行われる。
【００７５】
このメンテナンス項目の追加処理では、まず、ステップＳ１０１の処理にて決定したメンテナンス項目と並行して行うことのできるメンテナンス項目があるか否かを判断する（ステップＳ１０２）。
【００７６】
判断部３５は、メモリ部３７に格納されているメンテナンス処理テーブル５０を参照して、ステップＳ１０１の処理にて決定したメンテナンス項目と並行して行うことのできるメンテナンス項目を検索する。
【００７７】
そして、ステップＳ１０１の処理にて決定したメンテナンス項目と並行して行うことのできるメンテナンス項目がある場合、判断部３５は、並行して行うことのできるメンテナンス項目を取得して更新する（ステップＳ１０３）。
【００７８】
判断部３５は、更新したメンテナンス項目を表示指示部３６に出力する。表示指示部３６は、判断部３５から受け取ったメンテナンス項目を例えば一覧形式などによって表示部３２に表示させる。
【００７９】
このとき、判断部３５は、単に一覧形式に表示するのではなく、メモリ部３７に格納されるカウント情報から実行頻度の高い順番にメンテナンス項目を並べ替えて表示するようにしてもよい。これにより、ユーザが選択したいメンテナンス項目を容易に見つけることができる。
【００８０】
メンテナンス項目の実行頻度につては、例えば判断部３５がメンテナンスを実行する毎に実行したメンテナンス項目の回数をカウントして、そのカウント情報をメモリ部３７に格納する。あるいは、カウント情報を後述するメンテナンス処理テーブル５０が有するメンテナンス項目に紐付けて該メンテナンス処理テーブル５０に格納するようにしてもよい。
【００８１】
また、ステップＳ１０２の処理にて、判断部３５がステップＳ１０１の処理にて決定したメンテナンス項目と並行して行うことのできるメンテナンス項目がないと判定した際には、ステップＳ１０５の処理を行う。
【００８２】
ここで、メンテナンス処理テーブル５０の構成について説明する。
【００８３】
〈メンテナンス処理テーブルの構成例〉
【００８４】
図５は、図１のコンピュータ３０が有するメモリ部３７に格納されるメンテナンス処理テーブル５０における構成の一例を示す説明図である。
【００８５】
メンテナンス処理テーブル５０は、図５に示すように、メンテナンス項目および並列処理メンテナンス項目を有している。メンテナンス項目は、自動分析装置１１が行うことのできるすべてのメンテナンスの項目からなる。
【００８６】
並列処理メンテナンス項目は、あるメンテナンス項目が選択された際に選択されたメンテナンス項目と並行して処理することのできるメンテナンスの項目を示したものであり、メンテナンス項目毎にそれぞれ紐付けられている。
【００８７】
例えば、メンテナンス項目として流路系洗浄が選択された場合、流路系洗浄に紐付けられているメンテナンス処理テーブル５０の並列処理メンテナンス項目には、流路系洗浄と並行して実行することのできるメンテナンスの項目が示されている。
【００８８】
具体的には、流路系洗浄は、測定セル流路の洗浄を行うものであり、自動分析装置１１の機構として検出部ユニット２４を使用するメンテナンスである。よって、並列処理メンテナンス項目には、流路系洗浄に用いる機構である検出部ユニット２４と干渉しない機構を用いるメンテナンス項目、すなわち試薬ピペッタ洗浄、ビーズミキサー洗浄、ピペッタエアパージ、およびベッセル廃棄などのメンテナンスを並列して実行することができる。
【００８９】
試薬ピペッタ洗浄は、試薬分注機構１６を用いる。ビーズミキサー洗浄は、試薬ディスク１４の洗浄を行うものであり、試薬ディスク１４を用いる。ピペッタエアパージは、試薬分注機構１６の流路とサンプル分注機構１５の流路などの気泡を除去するものであり、試薬分注機構１６およびサンプル分注機構１５を用いる。
【００９０】
ベッセル廃棄は、検体容器であるベッセルを廃棄するものであり、反応容器１７およびサンプル分注チップを収納する保持部１８などを用いる。これらのメンテナンス項目は、いずれも流路系洗浄に用いる検出部ユニット２４と干渉せずに並行してメンテナンスを行うことができる。
【００９１】
したがって、例えば、メンテナンス項目として流路系洗浄が選択されると、試薬ピペッタ洗浄、ビーズミキサー洗浄、ピペッタエアパージ、およびベッセル廃棄などのメンテナンス項目が並行して処理することのできるメンテナンス項目である。
【００９２】
あるいは、メンテナンス処理テーブル５０は、メンテナンス項目および該メンテナンス項目毎に予め設定される抽出要素から構成されるものであってもよい。
【００９３】
この抽出要素は、例えば第１の要素および第２の要素からなる。第１の要素は、メンテナンス実行時に自動分析装置１１における各機構の干渉がないメンテナンス項目を抽出するリストである。
【００９４】
第２の要素は、純水、電力などの限りある資源を使用するメンテナンス項目において、メンテナンスの際に使用する資源の使用量などが示されており、メンテナンス実行時に資源不足とならないメンテナンス項目を抽出する要素である。
【００９５】
上述したように、第２の要素は、自動分析装置１１における機構の干渉ではなく、純水や電力などの自動分析装置１１のメンテナンス実行時に消費する資源に着目したものである。この第２の要素によるメンテナンス項目の抽出は、例えば第１の要素によるメンテナンス項目の抽出とともに行われる。
【００９６】
例えばメンテナンス項目として、反応槽の水交換が選択されたものとする。この反応槽の水交換は、反応容器１７を一定温度に保つための液体を保持する反応槽の水を交換するメンテナンスである。選択された反応槽の水交換は、資源として純水が使用される。
【００９７】
よって、純水を使用する他のメンテナンス項目であるブランク測定、反応槽洗浄、あるいはプローブ洗浄などにおける純水などの使用量を図示しないメンテナンス処理テーブルの第２の要素を参照することによって管理することができる。
【００９８】
最初に純水を使用するあるメンテナンス項目が選択されると、判断部３５は、第２の要素から選択されたメンテナンス項目に使用される純水の量を取得する。そして、純水を貯蔵するタンクの残量と取得した純水の使用量との差を算出する。
【００９９】
続いて、判断部３５は、第２の要素を参照して、純水の使用量が算出した差の量を下回るメンテナンス項目を抽出する。算出した差量が後に選択されるメンテナンス項目に使用される純水の量を上回れば、これら２つのメンテナンス項目が並行して行うことができると判断することができる。
【０１００】
よって、判断部３５が抽出したメンテナンス項目は、先に選択されたメンテナンス項目と並行して実施することのできるメンテナンス項目であるので、判断部３５は、抽出したメンテナンス項目を表示指示部３６に出力する。表示部３２には、先に選択されたメンテナンス項目と並行して実施することのできるメンテナンス項目の一覧が表示される。
【０１０１】
例えばメンテナンス項目として反応槽の水交換が先に選択された場合、判断部３５は、貯蔵タンクに貯蔵されている純粋の水量から反応槽の水交換に必要な水量を引いた水量を算出する。そして、算出した水量を下回る水量にてメンテナンスを実行することのできるメンテナンス項目を第２の要素から取得して、取得したメンテナンス項目を表示部３２に表示させる。
【０１０２】
例えばプローブ洗浄が算出した水量を下回る水量にてメンテナンスを実行することのできるメンテナンス項目であれば、該プローブ洗浄が並行して実行できるメンテナンス項目として抽出されることになる。この場合、反応槽の水交換およびプローブ洗浄を並列に実行してもタンクに貯蔵されている純水はなくらない。
【０１０３】
これにより、純水や電力などの資源の使用量から並行して処理することのできる複数のメンテナンス項目を容易に選択することができる。このように、資源を利用する複数のメンテナンス項目におけるメンテナンスの並行処理の可否についても判断することができるので、ユーザが資源などを気にすることなく、メンテナンス項目を選択することができる。これにより、ユーザの利便性を向上させることができる。
【０１０４】
なお、第２の要素による判定については、並行処理して行うメンテナンス項目だけでなく、シーケンシャルに複数のメンテナンス項目を実行する際に用いるようにしてもよい。これは、例えば資源を利用する２つのメンテナンスをシーケンシャルに実行する際などに有効であり、２つ目に行われるメンテナンスの最中に純水などの資源がなくなってしまうことを防止することができる。
【０１０５】
また、電力の場合には、並列に実行するメンテナンス項目に必要な電力量の合計が予め設定される電力値を下回るようになるメンテナンス項目を抽出する。これにより、複数のメンテナンス項目を実行する際に、自動分析装置１１の定格電力を上回ってしまうことを防止することができ、該自動分析装置１１の信頼性を高めることができる。
【０１０６】
その後、図３において、判断部３５は、決定したメンテナンス項目に追加して実行するメンテナンス項目があるか否かを判断する（ステップＳ１０４）。追加するメンテナンス項目がある場合には、ステップＳ１０２の処理に戻る。これらステップＳ１０２〜Ｓ１０４の処理は、新たに追加するメンテナンス項目がないと判定するまで繰り返し行われる。
【０１０７】
ステップＳ１０４の処理にて追加して実行するメンテナンス項目がない場合、あるいはステップＳ１０２の処理にて決定したメンテナンス項目と並行して行うことのできるメンテナンス項目がないと判定した際には、ステップＳ１０１の処理またはステップＳ１０２〜Ｓ１０４の処理にて決定したメンテナンス項目を実行する（ステップＳ１０５）。
【０１０８】
図６は、図１の自動分析システム１０が有する表示部３２に表示される更新後のメンテナンス項目画面の一例を示す説明図である。
【０１０９】
この図６では、図３のステップＳ１０３の処理にて決定したメンテナンス項目と並行して行うことのできる新たなメンテナンス項目が表示指示部３６に表示された際の表示例を示している。
【０１１０】
この場合、表示部３２に表示されるメンテナンス項目画面は、図６に示すように、第３の表示領域４３、第４の表示領域４４、追加ボタン４５、削除ボタン４６、実行ボタン４７、およびキャンセルボタン４８から構成されている。
【０１１１】
第３の表示領域４３は、図６のメンテナンス項目画面の左側に表示されており、該第３の表示領域４３の右側には、第４の表示領域４４が表示されている。第３の表示領域と第４の表示領域との間には、上方から下方にかけて、追加ボタン４５および削除ボタン４６がそれぞれ表示されている。第４の表示領域４４の下方には、左から右にかけて、実行ボタン４７およびキャンセルボタン４８がそれぞれ表示されている。
【０１１２】
第３の表示領域４３には、既に決定したメンテナンス項目が表示される。第４の表示領域４４には、第３の表示領域４３に表示されるメンテナンス項目と並行して行うことのできるメンテナンス項目が表示される。
【０１１３】
ユーザは、新たに追加するメンテナンス項目がある場合、操作部３１によって第４の表示領域４４に表示されるメンテナンス項目からメンテナンスを行う項目を選択する。選択されたメンテナンス項目は、この場合においても、例えば表示色が変わる、背景の色が変化する、あるいはフォントが太くなるなどの表示となる。
【０１１４】
メンテナンス項目を選択した後、操作部３１によって追加ボタン４５を押下することによって、選択したメンテナンス項目が決定して第３の表示領域４３に該メンテナンス項目が表示される。
【０１１５】
第３の表示領域４３に表示されたメンテナンス項目を削除する場合には、該第３の表示領域４３に表示されるメンテナンス項目を操作部３１によって選択した後、削除ボタン４６を押下することによって削除される。また、操作部３１によって実行ボタン４７を押下することによって、選択したメンテナンス項目が実行される。
【０１１６】
図７は、図６に続くメンテナンス項目画面の一例を示す説明図である。
【０１１７】
この図７では、図６に示す第４の表示領域４４から例えばビーズミキサー洗浄のメンテナンス項目が選択された後に図３のステップＳ１０３の処理にて更新した並行して行うことのできる新たなメンテナンス項目の表示例を示したものである。
【０１１８】
この場合も、図６と同様に、表示部３２に表示されるメンテナンス項目画面は、第３の表示領域４３、第４の表示領域４４、追加ボタン４５、削除ボタン４６、実行ボタン４７、およびキャンセルボタン４８から構成される。
【０１１９】
第３の表示領域４３には、既に決定したメンテナンス項目が表示される。第４の表示領域４４には、第３の表示領域４３に表示されるメンテナンス項目と並行して行うことのできるメンテナンス項目が表示される。
【０１２０】
操作部３１によって実行ボタン４７が押下されると、判断部３５は、第３の表示領域４３に表示されているメンテナンス項目、すなわち選択したメンテナンス項目を並行して実行するように制御を行う。
【０１２１】
以上により、複数のメンテナンスを並列に実行することができるので、自動分析装置１１のメンテナンスにかかる時間を短縮することができる。
【０１２２】
また、並列に処理することのできるメンテナンス項目が表示部３２に表示され、操作部３１によって選択するだけでよいので、ユーザの負担を軽減するとともに利便性を向上させることができる。
【０１２３】
なお、図３のフローチャートでは、ステップＳ１０１の処理において、ユーザが操作部３１によりメンテナンス項目を選択していたが、最初のメンテナンス項目については、ユーザによる選択ではなく、予め設定されたメンテナンス項目としてもよい。
【０１２４】
この場合、並行に処理されるメンテナンス項目は、予め設定されたメンテナンス項目およびステップＳ１０２〜Ｓ１０４の処理にて選択されたメンテナンス項目となる。予め設定されるメンテナンス項目としては、例えば流路系洗浄などのメンテナンス項目がある。
【０１２５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【０１２６】
１０  自動分析システム
１１  自動分析装置
１２  試料ラック
１３  搬送ライン
１４  試薬ディスク
１４ａ  試薬ディスクカバー
１５  サンプル分注機構
１６  試薬分注機構
１７  反応容器
１８  保持部
１９  インキュベータディスク
２０  搬送機構
２２  反応容器攪拌機構
２３  液吸引ノズル
２４  検出部ユニット
２５  試料容器
２６   試薬容器
２７  廃棄部
２８  サンプル分注チップ装着位置
２９  予備保持部
３０  コンピュータ
３１  操作部
３２  表示部
３５  判断部
３６  表示指示部
３７  メモリ部
３８  端末装置
【図１】
2019189869.tif 000003
【図２】
2019189869.tif 000004
【図３】
2019189869.tif 000005
【図４】
2019189869.tif 000006
【図５】
2019189869.tif 000007
【図６】
2019189869.tif 000008
【図７】
2019189869.tif 000009
【国際調査報告】
2019189869.tif 000010
2019189869.tif 000011
2019189869.tif 000012
2019189869.tif 000013